(57)【要約】  簡単な構成でありつつ競技の公平性を保ち、かつ、勝負判定ないし順位判定を円滑におこなわしむる四方綱引用の綱を提供すること。【課題】【解決手段】綱Ｔは、床面に記された同一中心の大円１と小円２と当該中心で交差して円を４等分する十字線３とにより線引きされ、十字線３により区切られた中心角９０°の領域からはみ出ないように４チームが円の中心を競技開始時の綱の中心として綱を四方向から引き合う四方綱引に適用する綱であって、綱Ｔの中心部Ｃから４方向へ延伸し、各枝綱Ｅは同じ長さおよび同じ太さであり、各枝綱Ｅには、綱の中心部Ｃを円の中心に位置させて枝綱Ｅを十字に張ったときに、小円２の位置にホワイトマークＷをそれぞれ設けて競技終了の判定を可能とし、さらに、ホワイトマークＷより外側の所定間隔離れた位置にブルーマークＢをそれぞれ設けて勝敗判定用目印の視認性を確保する。【選択図】図１ 
2005152485.tif 000002
【特許請求の範囲】
【請求項１】
地面ないし床面に記された同一中心の大円と小円と当該中心で交差して円を４等分する十字線とにより線引きされ、十字線により区切られた中心角９０°の領域からはみ出ないように４チームが円の中心を競技開始時の綱の中心として綱を四方向から引き合う四方綱引に適用する四方綱引用の綱であって、当該綱は、綱の中心部から４方向へ延伸し、各枝綱は同じ長さおよび同じ太さであり、各枝綱には、綱の中心部を円の中心に位置させて枝綱を十字に張ったときに、小円の位置に勝敗判定用目印をそれぞれ設けて当該目印が大円直上を超えたときの競技終了の判定を可能とし、さらに、各枝綱に、当該勝敗判定用目印より外側の所定間隔離れた位置に把持禁止目印をそれぞれ設けて競技者に当該目印より外側部分の綱を持たせるようにして勝敗判定用目印の視認性を確保した、四方綱引用の綱。
【請求項２】
綱が複数本縒りに構成され、同長の綱を二本用いて、一方の綱の中心の縒り目に他方の綱をその中心まで貫入させて前記中心部を形成し、次いで、当該中心部の外側から補強用の細縄をたすきがけに捲回して中心部を固定しつつさらに当該細縄を枝綱の所定位置まで捲回して中心部の綱の交差角度が直角に維持されるように固定した請求項１に記載の四方綱引用の綱。
【請求項３】
同長の綱を二本用いて、一方の綱の中央の縒り目に他方の綱をその中央まで貫入させて中心部を形成しつつ四本の枝綱を形成し、次いで、当該中心部の外側から補強用の細縄をたすきがけに捲回して中心部を固定しつつさらに当該細縄を枝綱の所定位置まで捲回して中心部の枝綱の交差角度が直角に維持されるように固定したことを特徴とする四方綱引用の綱。
【請求項４】
地面ないし床面に描画した円の中心を競技開始時の綱の中心とし、当該円の直上を通過したことにより勝敗を判定するにあたり、当該勝敗を判定するための目印であって前記中心部から等距離の位置に勝敗判定用目印を枝綱にそれぞれ設けたことを特徴とする請求項３に記載の四方綱引用の綱。
【請求項５】
中心部からみて勝敗判定用目印より外側の等距離の位置に把持禁止目印を枝綱にそれぞれ設けて、競技者に当該目印より外側部分の綱を持たせて勝敗判定用目印の視認性を確保したことを特徴とする請求項４に記載の四方綱引用の綱。
【発明の詳細な説明】
【技術分野】
【０００１】
本発明は、四方綱引用の綱に関し、特に、地面ないし床面に記された同一中心の大円と小円と当該中心で交差して円を４等分する十字線とにより線引きされ、十字線により区切られた中心角９０°の領域からはみ出ないように４チームが円の中心を競技開始時の綱の中心として綱を四方向から引き合う四方綱引に適用する四方綱引用の綱に関する。
【背景技術】
【０００２】
従来、一般的な綱引は、一本のロープを二チームに分かれて両方向から引き合い、中心目印の位置の移動量の多い方を勝者と決めていた。しかしながら、勝敗は綱を引っ張る力に大きく依存し、試合が単調となるという欠点があった。
【０００３】
一方、この欠点を補い、他チームとの連携も勝敗の要素となる四方綱引も知られている。これは、四チームがそれぞれ綱を持ち後方に引き合う競技であるが、隣のチームと連携するなど様々な駆け引きが展開され、力量に差があっても楽しめる競技となる。
【０００４】
このような四方綱引を可能とするものに、実開昭６１−７１１７５号公報「四角綱引用綱」に開示される技術がある。同公報には、輪の形をした中心網に４本の引き綱を取り付けた構成が開示されている。また、特開平２−２７１８８２号公報「綱引装置」に開示される技術には、中心に固定された基台上に変形可能に配された輪とローラーとを備え付け、どのチームの引っ張り力が最も大きいかを輪の変位で簡単に知ることができる構成が開示されている。従来では、このような綱により四方綱引の競技を行っていた。
【０００５】
【特許文献１】実開昭６１−７１１７５号公報
【特許文献２】特開平２−２７１８８２号公報
【発明の開示】
【発明が解決しようとする課題】
【０００６】
しかしながら、従来の技術では以下の問題点があった。
すなわち、例えば、特開平２−２７１８８２号公報に開示される技術では、装置構成が複雑であり綱のコストが高くなるほか、実際の競技でも、競技終了後に基台中の輪の変位をみるだけで単なる力比べの域をでず、競技中の駆け引きがないため外側からみて面白味に欠けるという欠点があった。
【０００７】
また、実開昭６１−７１１７５号公報に開示される技術では、中心の輪から独立して４方向に引き綱を配置した構成であるので、結び目の状態や結び目間の距離が必ずしも同じでない場合があり、競技の公平性が保てない場合があるという問題点があった。
【０００８】
さらに、四方綱引は、４チームが競技するため人数が多く、人影によって通常の綱引の中央目印に相当する目印が審判員から視認し難い、すなわち勝負の判定が難しいという問題点があった。特に、実際に四方綱引をおこなうと、ある１チームが突出して強い場合は、そのチームが所定の判定ラインを超えるので一位がどのチームかわかりやすいが、力が拮抗している場合には、初めは動きがないが、あるとき２チーム対２チームに別れて一気に勝負がつくので、目印が審判員から見えないと１位２位の順位付けができなくなるという問題点もあった。
【０００９】
本発明は上記に鑑みてなされたものであって、簡単な構成でありつつ競技の公平性を保ち、かつ、勝負判定ないし順位判定を円滑におこなわしむる四方綱引用の綱を提供することを目的とする。
【課題を解決するための手段】
【００１０】
上記の目的を達成するために、請求項１に記載の四方綱引用の綱は、地面ないし床面に記された同一中心の大円と小円と当該中心で交差して円を４等分する十字線とにより線引きされ、十字線により区切られた中心角９０°の領域からはみ出ないように４チームが円の中心を競技開始時の綱の中心として綱を四方向から引き合う四方綱引に適用する四方綱引用の綱であって、当該綱は、綱の中心部から４方向へ延伸し、各枝綱は同じ長さおよび同じ太さであり、各枝綱には、綱の中心部を円の中心に位置させて枝綱を十字に張ったときに、小円の位置に勝敗判定用目印をそれぞれ設けて当該目印が大円直上を超えたときの競技終了の判定を可能とし、さらに、各枝綱に、当該勝敗判定用目印より外側の所定間隔離れた位置に把持禁止目印をそれぞれ設けて競技者に当該目印より外側部分の綱を持たせるようにして勝敗判定用目印の視認性を確保したものである。
【００１１】
また、請求項２に記載の四方綱引用の綱は、請求項１に記載の四方綱引用の綱において、綱が複数本縒りに構成され、同長の綱を二本用いて、一方の綱の中心の縒り目に他方の綱をその中心まで貫入させて前記中心部を形成し、次いで、当該中心部の外側から補強用の細縄をたすきがけに捲回して中心部を固定しつつさらに当該細縄を枝綱の所定位置まで捲回して中心部の綱の交差角度が直角に維持されるように固定したものである。
【００１２】
また、請求項３に記載の四方綱引用の綱は、同長の綱を二本用いて、一方の綱の中央の縒り目に他方の綱をその中央まで貫入させて中心部を形成しつつ四本の枝綱を形成し、次いで、当該中心部の外側から補強用の細縄をたすきがけに捲回して中心部を固定しつつさらに当該細縄を枝綱の所定位置まで捲回して中心部の枝綱の交差角度が直角に維持されるように固定したことを特徴とする。
【００１３】
また、請求項４に記載の四方綱引用の綱は、請求項３に記載の四方綱引用の綱において、地面ないし床面に描画した円の中心を競技開始時の綱の中心とし、当該円の直上を通過したことにより勝敗を判定するにあたり、当該勝敗を判定するための目印であって前記中心部から等距離の位置に勝敗判定用目印を枝綱にそれぞれ設けたことを特徴とする。
【００１４】
また、請求項５に記載の四方綱引用の綱は、請求項４に記載の四方綱引用の綱において、中心部からみて勝敗判定用目印より外側の等距離の位置に把持禁止目印を枝綱にそれぞれ設けて、競技者に当該目印より外側部分の綱を持たせて勝敗判定用目印の視認性を確保したことを特徴とする。
【００１５】
本発明は、各枝綱の条件をそろえ、また、判定の難しい四方綱引の勝敗を判定を容易にする。
【００１６】
なお、枝綱とは、中心部から延伸した綱をいい、競技者が持って引く、いわゆる引き綱をいう。また、細縄の捲回の仕方は、中心部およびその周辺が固定されるように、多重にまたは隙間なくおこなうことが好ましく、また場合によっては綱の縒り目の中を通す態様であってもよい。
【発明の効果】
【００１７】
以上説明したように、本発明によれば、簡単な構成でありつつ競技の公平性を保ち、かつ、勝負判定ないし順位判定を円滑におこなわしむる四方綱引用の綱を提供することが可能となる。
【発明を実施するための最良の形態】
【００１８】
以下、本発明の実施の形態を図面を参照しながら詳細に説明する。まず、四方綱引のルールや競技内容について説明する。図１は、四方綱引のルールを説明する図であって、四方綱引用の綱を競技円に配置した際の平面図である。
【００１９】
四方綱引は、同一中心の大円１と小円２とこの中心で交差して円を４等分する十字線３とを床面にラインテープで線引きした競技場でおこなう。大円の直径は１２ｍであり、小円の直径は２ｍである。また、四方綱引用の綱Ｔには、中心部Ｃから２ｍと２．５ｍの位置にホワイトマークＷ（勝敗判定用目印）とブルーマークＢ（把持禁止目印）を付している。
【００２０】
綱の長さと太さは、一般用が直径３６ｍｍで対角の長さ（枝綱の二倍の長さ）が１５ｍ、ジュニア用が直径３０ｍｍで対角の長さが１３ｍである。各チームは、４人の選手により構成される。なお、図１および以降に示す図２では、綱Ｔの様子をわかりやすくするため、綱の太さやマークの幅などの縮尺は必ずしも現物と同じものとはしていない。
【００２１】
競技は、まず、綱Ｔを円の中心あわせて十字線３を半分ずつに割るように枝綱Ｅ（引き綱）を位置させ（図１参照）、競技開始の合図とともに引っ張り合う。ホワイトマークＷが大円１の直上を超えたときに、各チームを見張る４名の審判員が順位を決定する。競技者が十字線から出た場合には、競技はやり直しとする。
【００２２】
競技の決し方は、実際のところ、１チームがじりじり引っ張って大円を超えるか、または、力が均衡して、あるとき２チーム×２チームに別れ、一気に大円を超えるかのどちらかである。従って、順位の配点は、前者の場合には、一位４点、二位〜四位は各１点。後者の場合には、一位４点、二位２点、三位四位は各１点とする。
【００２３】
このように、四方綱引は、大人数で競技が行われる点、勝敗の決し方が一気に決まる場合があり、一位二位を決しにくい点が特徴である。
【００２４】
図２は、綱Ｔの中心部を拡大した模式図である。綱Ｔは、中心部Ｃから四つの同径同長の枝綱Ｅが延伸した構造となっている。また、この中心部Ｃは、細綱Ｎにより外側からたすきがけに捲回しさらに一定長さ分まで枝綱Ｅに密に捲回させている。綱Ｔは、３本縒であって、一方の中央部分に他方の中央部分を貫入させ細綱を捲回させて補強している。すなわち、たすきがけにより十字が固定され、また、枝綱Ｅにより中心を固定しつつ十字を補強する。このようにして綱Ｔは、中心部Ｃの十字が固定され、どのチームの条件も同一となるように構成されている。なお、細縄Ｎを枝綱Ｅに捲回させる長さは約１５ｃｍ程度あれば十分である。
【００２５】
また、綱Ｔには、ホワイトマークＷとブルーマークＢとが印されているが、競技者にブルーマークＢより外側を握らせることにより、ホワイトマークＷの位置が認識しやすくなり、一位二位を判定しやすくなる。なお、綱Ｔとしては、例えば、稲葉精綱株式会社製の品名「パフバック」を挙げることができ、細縄Ｎとしては、例えば、株式会社クラレの品名「クレモナ  Ｔ」（直径約２ｍｍ）を挙げることができる。
【００２６】
従って、この綱Ｔを用いることにより、中心部Ｃを複雑にせず、綱二本を用いた簡単な構成としつつ競技の公平性を保ち、かつ、勝負判定ないし順位判定が円滑におこなうことが可能となる。
【００２７】
なお、以上の構成では、中心部Ｃは綱と細縄からなっているが、細縄に変えて、ステンレス製の十字の拘束具で十字を固定する態様としてもよい。
【産業上の利用可能性】
【００２８】
本発明によれば、四方綱引のルールが多少変更になっても、視認性を確保した綱を提供可能となる。
【図面の簡単な説明】
【００２９】
【図１】四方綱引のルールを説明する図であって、四方綱引用の綱を競技円に配置した際の平面図である。
【図２】綱の中心部を拡大した模式図である。
【符号の説明】
【００３０】
１        大円
２        小円
３        十字線
Ｃ        中心部
Ｅ        各枝綱
Ｅ        枝綱
Ｎ        細綱
Ｔ        綱
Ｂ        ブルーマーク
Ｗ        ホワイトマーク
【図１】
2005152485.tif 000003
【図２】
2005152485.tif 000004